(57)【要約】  【課題】  冷蔵庫は、発泡断熱材が充填された断熱箱体から形成されている。そして、この段熱箱体は、温度に応じて伸縮する。このため、冷蔵庫の工場出荷時と、冷蔵庫の冷却運転中とは、温度が変わり、断熱箱体が伸縮してしまう。このため、冷蔵室内のスライド容器は、この温度変化の影響でスムーズなスライドが困難となってしまう。【解決手段】本発明は、断熱材が発泡充填された断熱箱体の内側に設けられた冷蔵室(2)と、この冷蔵室(2)の内に取付けられる棚(5)と、この棚(5)の下方に配置されるスライド可能な容器(6,7)を備える冷蔵庫において、前記棚(5)に一体に前記スライド容器(6,7)の案内部(22,23)を設けたことを特徴とする。  【選択図】  図３
2006153392.tif 000002
【特許請求の範囲】
【請求項１】
断熱材が発泡充填された断熱箱体の内側に設けられた冷蔵室(2)と、この冷蔵室(2)の内に取付けられる棚(5)と、この棚(5)の下方に配置されるスライド可能な容器(6,7)を備える冷蔵庫において、
前記棚(5)に一体に前記スライド容器(6,7)の案内部(22,23)を設けたことを特徴とする冷蔵庫。
【請求項２】
前記棚(5)は、ガラス板(20)と、前記案内部(22,23)が一体に設けられた外枠部(21)とからなることを特徴とする請求項１に記載の冷蔵庫。
【発明の詳細な説明】
【技術分野】
【０００１】
本発明は、冷蔵室内にスライド容器を備える冷蔵庫に関する。
【背景技術】
【０００２】
冷蔵室内にスライド容器を備えた冷蔵庫がある（特許文献１参照）。又、冷蔵室内にガラス棚を備えた冷蔵庫がある（特許文献２参照）。
【特許文献１】特開２００４−８５０５６号公報。
【特許文献２】特開２００４−２５７６１６号公報。
【０００３】
このようなスライド容器は、冷蔵室の内壁に設けられたレール部により案内されて前後にスライド可能である。
【発明の開示】
【発明が解決しようとする課題】
【０００４】
ところで、冷蔵庫は、発泡断熱材が充填された断熱箱体から形成されている。そして、この段熱箱体は、温度に応じて伸縮する。
【０００５】
このため、冷蔵庫の工場出荷時と、冷蔵庫の冷却運転中とは、温度が変わり、断熱箱体が伸縮してしまう。一般に、冷却運転時には、発泡断熱材部分が収縮し、冷蔵庫の冷蔵室内側の幅寸法は増大する。
【０００６】
冷蔵庫の冷蔵室内の棚は、固定されて使用されるため、最初から少々きつめに設計して取付けられるので、冷却運転により断熱箱体が収縮しても、あまりガタつくことはない。
【０００７】
しかし、冷蔵室内のスライド容器は、店頭に並べられている時も、冷凍運転中も、良好にガタなくスライドできることが望ましい。
【０００８】
本発明は、断熱箱体の収縮による影響をあまり受けないで、スライド容器をガタなくスライドできる構成を提供するものである。
【課題を解決するための手段】
【０００９】
本発明は、断熱材が発泡充填された断熱箱体の内側に設けられた冷蔵室２と、この冷蔵室２の内に取付けられる棚５と、この棚５の下方に配置されるスライド可能な容器６，７を備える冷蔵庫において、前記棚５に一体に前記スライド容器６，７の案内部２２，２３を設けたことを特徴とする。
【００１０】
更に、本発明は、前記棚５は、ガラス板２０と、前記案内部２２，２３が一体に設けられた外枠部２１とからなることを特徴とする。
【発明の効果】
【００１１】
本発明は、スライド容器６，７のスライドの基準位置は内箱の設けられた案内部ではなく、棚に設けられた案内部２２，２３となり、温度変化による位置ずれを小さくすることができ、スライド時のブレを小さくできる。
【発明を実施するための最良の形態】
【００１２】
本発明は、断熱材が発泡充填された断熱箱体の内側に設けられた冷蔵室３と、この冷蔵室３の内に取付けられる棚５と、この棚５の下方に配置されるスライド可能な容器６，７を備える冷蔵庫において、前記棚５に一体に前記スライド容器６，７の案内部２２，２３を設ける。
【実施例１】
【００１３】
本発明の実施例１について、図１〜図９を参照しつつ説明する。図１は、実施例１の冷蔵庫の斜視図である。この冷蔵庫１は、通常の冷蔵庫であり、金属版からなる外板と真空成形された合成樹脂製の内箱との間に発泡断熱材を充填した断熱箱体等からなる。
【００１４】
図２は、冷蔵室２の扉を外した図である。この図２において、３は棚、４は伸縮自在棚、５は棚である。
【００１５】
６はチルド容器を形成する引出しトレイである。７は引出しトレイ、８は冷蔵室の底面に置かれた自動製氷機の給水タンク、９は冷蔵室の底面に置かれた引出しトレイである。１０は仕切り板である。
【００１６】
図３は棚５の斜視図である。２０はガラス板であり、２１はこのガラス板２０の外枠部である。この外枠部２１には、引出しトレイ６の案内をする案内部２２が一体に設けられている。２１ａは図２の区切り板１０の取付け嵌合部である。図４にこの案内部２２の内側を示す。また、この外枠部２１には、引出しトレイ７の案内をする案内部２３が一体に設けられている。図５にこの案内部２３の内側を示す。
【００１７】
この案内部２２，２３は、それぞれ、冷蔵室の両側壁に挿入される。図６にこの冷蔵室２の右側内側壁２４を示す。この図６において、２５は、右側内側壁２４に設けられた突条２６，２６により形成され、棚５の案内部２２が挿入される挿入部である。この挿入部２５に、図７の如く、棚５の案内部２２が挿入されて、棚５の右側が固定される。
【００１８】
図８にこの冷蔵室の左側内側壁２７を示す。図８において、２８は、左側内側壁２７に設けられた突条２９，２９により形成され、棚５の案内部２３が挿入される挿入部である。この挿入部２８に、図９の如く、棚５の案内部２３が挿入されて、棚５の左側が固定される。
【００１９】
なお、両引出しトレイ６，７の片側は、案内部２２，２３により案内されるが、両引出しトレイ６，７の残りの片側は、図２の区切り板１０に設けられた案内部（図示せず）により案内される。
【００２０】
このように実施例１では、引出しトレイ６，７の案内部を冷蔵室の内側左右壁ではなく、棚に一体にもうけたので、温度による収縮の影響を小さくでき、ガタつきを抑えることができスムーズなスライドが可能である。なお、棚５と冷蔵室の内側左右壁２４，２７との間では、温度による収縮の影響を受けるが、スライドする必要が無く、高精度の寸法精度は必要なく、実用上問題ない。
このように実施例１では、棚５の左右を左右内側壁に設けた突条で保持し、この棚５に設けた案内部２２，２３に引出しトレイ６，７を案内させている。なお、この案内は、従来からの方法で良く、例えば、案内部に引出しトレイに設けた突部（図示せず）
が当接して案内される構成で良い。
また、実施例１では、左右の案内部２２，２３で案内される引出しトレイを２個としているが、これは、１個でも良い。
【図面の簡単な説明】
【００２１】
【図１】実施例１の冷蔵庫の斜視図である。
【図２】実施例１の冷蔵室の扉を外して冷蔵庫本体を斜め前から見た図である。
【図３】実施例１の棚の斜視図である。
【図４】実施例１の棚の片側の案内部を説明するための図である。
【図５】実施例１の棚の残りの片側の案内部を説明するための図である。
【図６】実施例１の右内側壁を説明するための図である。
【図７】実施例１の右内側壁に棚を取付けた状態を説明するための図である。
【図８】実施例１の左内側壁を説明するための図である。
【図９】実施例１の左内側壁に棚を取付けた状態を説明するための図である。
【符号の説明】
【００２２】
２・・・冷蔵室
５・・・棚
６・・・引出しトレイ（スライド容器）
７・・・引出しトレイ（スライド容器）
２０・・ガラス板
２１・・外枠部
２２・・案内部
２３・・案内部
【図１】
2006153392.tif 000003
【図２】
2006153392.tif 000004
【図３】
2006153392.tif 000005
【図４】
2006153392.tif 000006
【図５】
2006153392.tif 000007
【図６】
2006153392.tif 000008
【図７】
2006153392.tif 000009
【図８】
2006153392.tif 000010
【図９】
2006153392.tif 000011